(57)【要約】      （修正有）【課題】広告表示に係る省エネルギー性と環境性、及び災害時を含む広告表示の継続性を高めるとともに、地域社会における省エネルギー化や再生可能エネルギー活用の普及促進にもつながる、広告表示用サーバ装置、広告表示方法、および広告表示用サーバ装置用のプログラムを提供する。【解決手段】複数のユーザや広告主が、単独あるいは共同で整備と運営に関与する電力供給システム４と、この電力供給システムの供給電力で稼働し、ユーザの端末装置６や広告主の端末装置７と電力供給システムに通信接続された広告表示用サーバ装置８で構成される広告表示システムを構築する。前記広告表示用サーバ装置８は、予め広告主の端末装置７から広告コンテンツを受信して記憶しておき、ユーザの端末装置６から、ユーザが関与した電力供給システムに係る情報の閲覧要求を受信した際、電力供給システムの情報とともに、前記広告コンテンツを記憶手段から抽出して表示する。【選択図】図１
2013246666.tif 000002
【特許請求の範囲】
【請求項１】
ネットワークを介して、ユーザまたは広告主が、あるいはユーザと広告主が共同で整備や運営に関与する１ヶ所以上の電力供給システムと、複数の広告主の端末装置と、複数のユーザの端末装置に接続された広告表示用サーバ装置であって、
前記電力供給システムに係る情報を収集する通信手段と、
前記広告主端末装置から送信される広告コンテンツを受信する通信手段と、
受信した電力供給システムの情報と広告コンテンツを記憶する記憶手段と、
ユーザ端末装置から前記の電力供給システムに関する情報の閲覧要求を受信した際に、前記の広告コンテンツを抽出し、電力供給システムの情報とともにユーザ端末装置に送信して表示する、広告抽出表示手段とを備えたことを特徴とする、
広告表示用サーバ装置
【請求項２】
請求項１に記載の広告表示用サーバ装置において、前記の広告表示用サーバ装置が消費する電力の一部または全部が、請求項１に記載された電力供給システムからの供給電力で賄われることを特徴とする、広告表示用サーバ装置
【請求項３】
請求項１及び請求項２に記載の電力供給システムの一部または全部が、再生可能エネルギーを活用した発電システムか、再生可能エネルギーによる電力を充放電して電力供給を行う蓄電システムの何れか、または両方で構成されていることを特徴とする、広告表示用サーバ装置
【請求項４】
ネットワークを介して、ユーザまたは広告主が、あるいはユーザと広告主が共同で整備や運営に関与する１ヶ所以上の電力供給システムと、複数の広告主の端末装置と、複数のユーザの端末装置に接続された広告表示方法であって、
前記広告主の端末装置から送信された広告コンテンツを受信する、広告コンテンツの受信ステップと、受信した広告コンテンツを記憶手段に記憶する記憶ステップと、
前記ユーザの端末装置から、前記の電力供給システムに係る情報の閲覧要求を受信する閲覧要求受信ステップと、閲覧要求を受信した際に、前記の電力供給システムに係る情報提供要求を送信する、電力供給システム情報要求の送信ステップと、
前記の要求情報に基づいて電力供給システムから送信された、電力供給システム情報を受信する電力供給システム情報受信ステップと、
受信した電力供給システム情報を、前記の記憶手段から抽出した広告コンテンツとともにユーザの端末装置に送信する、広告付き電力供給システム情報の送信ステップとを備えたことを特徴とする、広告表示方法
【請求項５】
ネットワークを介して、ユーザまたは広告主が、あるいはユーザと広告主が共同で整備や運営に関与する１ヶ所以上の電力供給システムと、複数の広告主の端末装置と、複数のユーザの端末装置に接続された広告表示用サーバ装置用のプログラムであって、
コンピュータを、前記の広告主端末装置から送信された広告コンテンツを受信する広告コンテンツ受信手段、
受信した広告コンテンツを記憶する記憶手段、
ユーザの端末装置から前記の電力供給システムに係る情報の閲覧要求を受信する閲覧要求の受信手段、
前記閲覧要求を受信した際に、前記の電力供給システムに情報提供要求を送信する、電力供給システム情報要求の送信手段、前記の要求情報に基づいて電力供給システムから送信された、電力供給システム情報を受信する電力供給システム情報の受信手段、
受信した電力供給システム情報を、前記の記憶手段から抽出した広告コンテンツとともにユーザの端末装置に送信する、広告付き電力供給システム情報の送信手段、
として機能させることを特徴とする、広告表示用サーバ装置用のプログラム
【発明の詳細な説明】
【技術分野】
【０００１】
本発明は、インターネット等の通信ネットワークを介して広告表示を行う広告表示用サーバ装置、広告表示方法、および広告表示用サーバ装置用のプログラムに関する。特に、当該広告表示用サーバ装置から送信される広告を閲覧するユーザか、当該広告表示用サーバ装置を活用して広告掲載を行う広告主か、前記ユーザと前記広告主が共同で整備や運営に要する資金や役務等を提供することで整備、運営される、ユーザまたは広告主関与型の電力供給システムから供給される電力で稼働する、あるいは当該電力供給システムが電力消費者に供給する電力から得られる売電収入で運営される、広告表示用サーバ装置、広告表示方法、および広告表示用サーバ装置用プログラムの技術分野に関する。
【背景技術】
【０００２】
従来インターネット上には、バナー広告、メール広告、検索連動型広告、アフィリエイト広告など様々な形態の広告があり、それぞれが独自の配信方法や広告課金方法に応じて発達している。これらの広告表示では、それぞれの広告形態に応じたプログラムを記憶し、インターネットに接続された広告表示用サーバ装置が用いられ、このサーバ装置には常に広告表示を行えるよう、常時稼働に必要な電力が供給されるため、通信ネットワークを介した広告表示に係る電力消費量は多大なものとなっている（例えば特許文献１）。
【０００３】
ここで、広告表示用サーバ装置が消費する電力は、広告を閲覧するユーザや広告表示サービスを利用して広告掲載する広告主が発電所の整備や運営に直接的な関与はせず、化石燃料を利用して二酸化炭素の排出も伴う火力発電によるものを多く含み、発電所から離れた場所にあるサーバ装置に送電されるまでの過程で送電損失も伴う、従来型の電力供給システムから供給されている。
【０００４】
このため、通信ネットワークを介した広告表示では、広告表示用サーバ装置の運営に係る電力消費が、広告表示に係る省エネルギー性や環境性のほか、広告表示サービスの利用費にも影響している。また、災害発生時を含めた電力供給システムの信頼性が、サーバ稼働の継続性に直結し、災害時広報等を含めた広告表示サービスの継続性に影響している。
【０００５】
一方、電力供給システムについては、太陽光などの再生可能エネルギーを活用した発電システムや、再生可能エネルギー等を活用して発生した余剰電力を充電し、必要時に放電して利用する蓄電システムなど、各種電力供給システムの整備と運営が進みつつある。
【０００６】
一般に、こうしたエネルギーシステムは、発電事業を行うエネルギー事業者が整備し、運営を行うが、個人や法人、団体が資金や役務等を提供しあい、市民共同で地域密着型の電力供給システムを整備して運営する、市民共同整備型の発電システムや市民共同による発電事業も、市民発電所や市民発電事業と称して普及しつつある（例えば非特許文献１）。
【０００７】
特に、省エネルギー化や温暖化防止等の観点から、再生可能エネルギーの普及拡大が期待される中、市民太陽光発電所や市民風車といった市民共同整備型の電力供給システムは、地域のエネルギー自給率や環境性を高めるだけでなく、ユーザそれぞれの省エネルギー化や再生可能エネルギー活用の促進に向けた意識を啓発する効果を併せ持つことから、エネルギー利用の面で持続可能な社会の構築を加速する、有効な手法として期待できる。
このうち、一部の市民共同整備型電力供給システムでは、発電所の近傍で発電状況を表示したり、インターネットで発電実績を配信しているところもある。
【先行技術文献】
【特許文献】
【０００８】
【特許文献１】特開２０１１−１３３９４１号公報
【非特許文献】
【０００９】
【非特許文献１】「市民共同発電所事例」、［平成２４年５月１９日検索］、インターネット、＜ＵＲＬ：ｈｔｔｐ：／／ｗｗｗ７．ｐｌａｌａ．ｏｒ．ｊｐ／ＹＡＹＯＩ／ｓｕｂ８４．ｈｔｍｌ＞
【発明の開示】
【発明が解決しようとする課題】
【００１０】
前記の通り、従来技術では広告表示用サーバ装置で消費される電力の殆どが、化石燃料を消費する火力発電によるもので、発電設備からサーバ装置に供給されるまでの過程で送電損失を伴う、従来型の電力供給システムから供給されている。このため、送電損失により省エネルギー性が低下するほか、広告表示に係る費用が燃料費に応じて変動し、広告表示サービスの利用費が、燃料費に応じて不安定になるという課題がある。
【００１１】
また、送電損失を含む電力消費が大きいことと、供給電力が化石燃料を利用する火力発電によるものが多いことから、広告表示用サーバ装置の運営に伴って排出される二酸化炭素量が多く、環境負荷が大きくなるという課題もある。
【００１２】
加えて、地震や津波などの災害発生時には、広告表示用サーバ装置から離れた場所に設置されている火力発電所や燃料供給施設が損傷を受けた場合や、電力供給システムと広告表示用サーバ装置間をつなぐ送電線が損傷を受けた場合に、広告表示用サーバ装置とその周辺には被害が無い状況であったとしても、広告表示用サーバ装置の稼働に必要な電力が供給できないために、災害時における緊急広告等の表示と継続が困難となる課題もある。
【００１３】
そこで、これら課題を解決するため、電力供給システムの発電方式を、化石燃料を使用しないものに変更したり、広告表示用サーバ装置を電力供給システムの近傍に設置することで送電損失を削減し、災害発生時を含めた広告表示の継続性を高める方法も考えられるが、広告表示を行うサーバ装置を稼働するための電力供給システムの整備や運営に、ユーザや広告主が直接的に関与してこなかったため、広告表示用サーバ装置の運営に必要な電力の供給方法を改善することは困難であるという課題もある。
【００１４】
また、電力供給システムの整備や運営にユーザや広告主が直接関与しうる手法として、市民共同整備型の電力供給システム構築が考えられるが、関与者の支援によって整備、運営される電力供給システムが、関与者に対して個別かつ直接的に便益を提供し、かつその便益を長期的に継続提供できる有効な手段がなかったことから、電力供給システムの整備や運営に資金や役務等を提供する関与者が集まり難く、普及し難いという課題があった。
【００１５】
特に、市民共同整備型の電力供給システム構築に係る関与者は、省エネルギー化や再生可能エネルギーの活用に興味関心が高く、関連商品やサービス等に係る最新広告を含めた情報を入手しようとするユーザであったり、こうしたユーザに向けて関連する商品やサービスを提供する広告主であることが想定されるが、それぞれの要求に対応しうる有効かつ継続的な便益、すなわち、省エネルギー化や再生可能エネルギーの活用等に係り、ユーザや広告主の積極的かつ継続的な関与につながる広告提供手段がなかったという課題がある。
【００１６】
中でも、ユーザや広告主に対して提供する便益の継続性という点では、広告等の情報を閲覧するユーザの興味関心を高め、これを継続できる情報、例えば、ユーザや広告主が直接関与している対象に係る情報であったり、この情報が周囲の状況変化に応じて時々刻々と変化する情報が有効と考えられるが、これらの特徴を兼ね備えた情報とともに広告表示を行う、有効な広告提供手段がなかったという課題がある。
【００１７】
本発明は、このような課題に鑑みてなされたものであり、その目的は、広告表示に係る電力消費と環境負荷を低減し、広告表示に要する費用の安定性と、災害時を含む広告表示の継続性を高めるとともに、広告閲覧者であるユーザと広告掲載者である広告主の双方に対する継続的な便益の提供を可能とした、広告表示用サーバ装置、広告表示方法、及び広告表示用サーバ装置用のプログラムを提供することである。
【課題を解決するための手段】
【００１８】
上記課題を解決するため、請求項１に記載の発明は、ネットワークを介して、ユーザまたは広告主が、あるいはユーザと広告主が共同で整備や運営に関与する１ヶ所以上の電力供給システムと、複数の広告主の端末装置と、複数のユーザの端末装置に接続された広告表示用サーバ装置であって、前記電力供給システムに係る情報を収集する通信手段と、前記広告主端末装置から送信される広告コンテンツを受信する通信手段と、受信した電力供給システムの情報と広告コンテンツを記憶する記憶手段と、ユーザ端末装置から前記の電力供給システムに関する情報の閲覧要求を受信した際に、前記の広告コンテンツを抽出し、電力供給システムの情報とともにユーザ端末装置に送信して表示する、広告抽出表示手段とを備えたことを特徴とする。
【００１９】
請求項２に記載の発明は、請求項１に記載の広告表示用サーバ装置において、前記の広告表示用サーバ装置が消費する電力の一部または全部が、請求項１に記載された電力供給システムからの供給電力で賄われることを特徴とする。
【００２０】
請求項３に記載の発明は、請求項１及び請求項２に記載の電力供給システムの一部または全部が、再生可能エネルギーを活用した発電システムか、再生可能エネルギーによる電力を充放電して電力供給を行う蓄電システムの何れか、または両方で構成されていることを特徴とする。
【００２１】
請求項４に記載の発明は、ネットワークを介して、ユーザまたは広告主が、あるいはユーザと広告主が共同で整備や運営に関与する１ヶ所以上の電力供給システムと、複数の広告主の端末装置と、複数のユーザの端末装置に接続された広告表示方法であって、前記広告主の端末装置から送信された広告コンテンツを受信する、広告コンテンツの受信ステップと、受信した広告コンテンツを記憶手段に記憶する記憶ステップと、前記ユーザの端末装置から、前記の電力供給システムに係る情報の閲覧要求を受信する閲覧要求受信ステップと、閲覧要求を受信した際に、前記の電力供給システムに係る情報提供要求を送信する、電力供給システム情報要求の送信ステップと、前記の要求情報に基づいて電力供給システムから送信された、電力供給システム情報を受信する電力供給システム情報受信ステップと、受信した電力供給システム情報を、前記の記憶手段から抽出した広告コンテンツとともにユーザの端末装置に送信する、広告付き電力供給システム情報の送信ステップとを備えたことを特徴とする。
【００２２】
請求項５に記載の発明は、ネットワークを介して、ユーザまたは広告主が、あるいはユーザと広告主が共同で整備や運営に関与する１ヶ所以上の電力供給システムと、複数の広告主の端末装置と、複数のユーザの端末装置に接続された広告表示用サーバ装置用のプログラムであって、コンピュータを、前記の広告主端末装置から送信された広告コンテンツを受信する広告コンテンツ受信手段、受信した広告コンテンツを記憶する記憶手段、ユーザの端末装置から前記の電力供給システムに係る情報の閲覧要求を受信する閲覧要求の受信手段、前記閲覧要求を受信した際に、前記の電力供給システムに情報提供要求を送信する、電力供給システム情報要求の送信手段、前記の要求情報に基づいて電力供給システムから送信された、電力供給システム情報を受信する電力供給システム情報の受信手段、受信した電力供給システム情報を、前記の記憶手段から抽出した広告コンテンツとともにユーザの端末装置に送信する、広告付き電力供給システム情報の送信手段、として機能させることを特徴とする。
【００２３】
なお、請求項１に記載された、ユーザまたは広告主が、あるいはユーザと広告主が共同で整備や運営に関与する電力供給システムとは、当該電力供給システムの整備や運営に必要な資金や役務等を提供することで電力供給システムの整備や運営に関与するほか、当該電力供給システムの供給電力で稼働する広告表示用サーバ装置を活用して、発電状況や近隣地域の情報のほか、省エネルギー化や再生可能エネルギーの活用等に係る商品やサービスの広告を閲覧する複数のユーザと、ユーザと同様に電力供給システムの整備や運営に関与するほか、当該電力供給システムを活用して運営される広告表示サービスを利用して広告の掲載や表示を行う複数の広告主のいずれか、またはこれらユーザと広告主の両方が共同して電力供給システムの整備と運営に必要な資金や役務等を提供することで整備され、管理運営が行われる電力供給システムである。
【００２４】
また、請求項３に記載の再生可能エネルギー活用型発電システムとは、太陽光発電や風力発電のほか、小水力発電やバイオマス発電、地熱発電など、再生可能エネルギーを活用して発電を行うシステムのことであり、蓄電システムとは、リチウム電池などの二次電池で構成され、繰り返し充放電によって必要時に電力供給を行うシステムである。
【発明の効果】
【００２５】
本発明によれば、広告表示用サーバ装置を稼働するために消費する電力の一部または全部が、化石燃料の消費と二酸化炭素の増加を伴わない、再生可能エネルギー活用型の電力供給システムから賄われるものとなり、広告表示サービスの省エネルギー性と環境性が向上するとともに、広告表示サービスの利用費に影響する燃料費の変動が抑えられ、利用費が安定化する。
【００２６】
また、広告表示用サーバ装置を電力供給システムに隣接して設置し、直接電力を供給するように接続することで、送電損失を大幅に削減して省エネルギー性や環境性を高められるほか、災害発生時における広告表示用サーバ装置への電力供給の継続性が高まるため、災害時における緊急広告等の表示と、その継続性を高めることもできる。
【００２７】
さらに、省エネルギー化や再生可能エネルギーの活用に興味関心が高いユーザと、関連商品やサービスの広告を行う広告主のそれぞれにとって、ユーザ自身または広告主自身が整備や運営に関与している電力供給システムの稼働状況など、時々刻々と変化する興味深い情報と関連づけて広告表示を行うという、個別かつ直接的な便益を提供し、さらにその便益を長期的に継続提供できる有効な手段を提供することで、電力供給システムの整備や運営に必要な資金や役務等を提供する関与者が集まりやすくなり、再生可能エネルギー等を活用した、ユーザまたは広告主関与型電力供給システムの普及を促進できる。
【００２８】
その結果、地域の省エネルギー性や環境性と、エネルギー自給率が向上するとともに、関与者の省エネルギー化や再生可能エネルギー活用に向けた意識を啓発し、広告を通じて関連情報を継続的に提供することで、地域社会の持続性向上を促進することができる。
【図面の簡単な説明】
【００２９】
【図１】本発明に係る第１実施形態の広告表示システムの概要構成例を示す模式図である。
【図２】図１の広告表示用サーバ装置の概要構成の一例を示すブロック図である。
【図３】図１の広告表示システムを活用した広告表示の一例を示すフローチャートである。
【図４】図１のユーザ端末装置における、広告コンテンツを含めた電力供給システム情報の表示画面の一例を示す模式図である。
【発明を実施するための形態】
【００３０】
以下、図面を参照して本発明を実施するための最良の形態について説明する。なお本発明範囲は特許請求の範囲記載のものであって、以下の実施形態に限定されるものではない。
【００３１】
（第１実施形態）
まず、本発明の第１実施形態に係る、広告表示システムの概略構成および機能について、図１に基づき説明する。
【００３２】
図１に示すように、広告表示システム１は、ユーザと広告主が共同で資金と役務を提供して整備と運営が行われる、ユーザと広告主の共同関与型太陽光発電システム２と、この発電システムの発電電力の一部を充電し、必要時に放電することで安定かつ継続的な電力供給を行う、ユーザと広告主の共同関与型蓄電システム３で構成された、ユーザと広告主の共同関与型電力供給システム４と、これら電力供給システムから供給される電力で運営され、前記発電システム２の発電情報と蓄電システム３の蓄電情報を送受信するとともに、前記電力供給システムの整備と運営に関与している広告主の広告を受信して、前記電力供給システムの情報とともに広告を表示させるためのウェブページを作成し、インターネット等の通信ネットワーク５を介して、ユーザの保有端末装置６や、広告主の保有端末装置７に配信する、広告表示用サーバ装置８で構成されている。
【００３３】
ここで、広告表示用サーバ装置８に隣接して整備され、前記サーバ装置を常時稼働させるための電力を供給する、ユーザと広告主の共同関与型電力供給システム４は、前記サーバ装置に発電または蓄電した電力を直接供給できるよう、電力供給線が接続されているとともに、余剰電力は周囲の電力利用者が利用できるよう、電力系統９に接続されている。
【００３４】
また、前記の電力供給システムは、システムを構成する発電設備や蓄電設備と常時通信して各設備の発電量や蓄電量を監視制御するとともに、広告表示用サーバ装置から送信される電力供給システム情報の閲覧要求を受信した際に受信時の発電量や蓄電量等に係る情報を返信したり、電力供給システムの管理者が近隣情報や災害時の緊急広告などを入力して広告表示用サーバ装置に送信できる、電力供給システム情報の通信制御装置１０も備えている。
【００３５】
なお、前記の監視制御機能とは、発電システム２の発電電力が広告表示用サーバ装置８の稼働に必要な電力量を上回って供給余剰となった場合に、まず蓄電システム３に余剰電力を蓄電し、さらに蓄電システムが満充電となった場合には、電力系統９を介して外部の電力消費者に余剰電力を供給して売電を行う一方、夜間や天候不良等で発電電力が不足し、サーバ装置８の稼働に必要な電力量に満たない場合には、まず蓄電システムに貯められた電力を放電利用し、それでも不足する場合には、電力系統から不足電力の供給を受けることで、広告表示用サーバ装置を、天候によらず安定運用できるよう、制御を行うものである。
【００３６】
このように広告表示用サーバ装置８は、近隣に整備された電力供給システム４から安定的な電力供給を受けつつ、ユーザ端末装置６と広告主端末装置７のほか、電力供給システムの通信制御装置１０を介して太陽光発電システム２および蓄電システム３と、常時インターネット等の通信ネットワーク５を介して接続されているため、電力供給システムに関するリアルタイム情報の受信と、広告主の端末装置７からの広告コンテンツ受信と、ユーザの端末装置６からの要求受信に基づく、電力供給システム４についてのリアルタイム情報を含めた広告ウェブページの送信が、常時実施できる状態となっている。
【００３７】
また、コンピュータとして機能する広告表示用サーバ装置８は、図２に示すように、広告表示用サーバ装置を制御したり、プログラムを実行したりする制御部８１と、制御部の途中結果等を保持する記憶部８２と、ネットワーク５と接続してユーザの端末装置６と広告主の端末装置７のほか、電力供給システムの通信制御装置１０との通信も行う通信部８３と、液晶表示素子等を利用して画像やテキスト等を表示する表示部８４と、広告コンテンツ等を記憶するデータベース８５と、キーボードやマウス等により構成される操作部８６とを備え、これらはバス８７によって接続されている。
【００３８】
こうして広告表示用サーバ装置８は、ユーザと広告主の共同関与型電力供給システム４の発電状況や稼働実績、近隣地域の情報や管理人からのメッセージといった電力供給システム情報のほか、広告主の端末装置７から送信される広告コンテンツを受信して記憶したり、ユーザの端末装置６から電力供給システム情報の閲覧を要求する閲覧要求情報を受信して、電力供給システム４の情報に広告コンテンツを加えて、ユーザの端末装置６に送信する。
【００３９】
このうち制御部８１は、CPU（Central Processing Unit）を有し、ユーザの端末装置６から送信された閲覧要求情報に応じて電力供給システムに関するリアルタイム情報を収集し、関連する広告コンテンツを抽出して、電力供給システム情報と広告コンテンツを表示する順序や配列を生成したり、配置を整えた広告ウェブページを生成したりする。
【００４０】
また記憶部８２は、RAM（Random Access Memory）やROM（Read Only Memory）等を有し、
電力供給システムの直近の発電状況や蓄電状況、現時点までの累積発電量と省エネルギー効果や二酸化炭素の削減効果、電力供給システム周辺の地域情報等を記憶したり、広告主の端末装置から送信される広告コンテンツを記憶する。
【００４１】
さらに通信部８３は、通信ネットワーク５を介してユーザと広告主が共同関与する電力供給システム４や、ユーザの端末装置６や広告主の端末装置７と通信を行う。ここで通信部は、制御部の制御に基づき、前記電力供給システムから、当該電力供給システムの現時点の発電状況や蓄電状況、現時点までの累積発電量と省エネルギー効果や二酸化炭素の削減効果、電力供給システム周辺の地域情報等を受信したり、広告主の端末装置から送信される広告コンテンツを受信したり、ユーザの端末装置から送信された電力供給システムに関する情報閲覧要求を受信して、電力供給システムの情報に広告コンテンツを付加した情報を、ユーザの端末装置に送信したりする。
【００４２】
さらにデータベース８５はハードディスク等で構成され、電力供給システム４の整備と運営に関与し、広告コンテンツを含む電力供給システム情報の送信先でもあるユーザの情報と、ユーザと同様に電力供給システム４の整備と運営に関与し、広告コンテンツを送信してユーザへの広告表示サービスの利用者となる広告主の情報と、これらユーザ及び広告主それぞれの情報送信先や端末装置に関する情報と、広告主から送信された広告コンテンツと、電力供給システムの仕様や稼働実績等に関する情報とを記憶し、広告表示システム用のデータベースとして構築されている。なお、ユーザの端末装置６と広告主の端末装置７は、何れも表示部を有するパーソナルコンピュータでも携帯端末でもよい。
【００４３】
次に、本実施形態の動作例として、ユーザへの広告表示サービスを利用する広告主７７が、広告コンテンツを送信して広告表示用サーバ装置８に記憶させた後に、広告を閲覧するユーザ６６が、電力供給システム４の稼働状況を把握するために閲覧要求を行った際に、この情報を受信した広告表示用サーバ装置が電力供給システムのリアルタイム情報を取得し、広告表示用サーバ装置に記憶した広告コンテンツを抽出してウェブページを生成した後に、ユーザの端末装置６に、広告コンテンツを含む電力供給システム情報を送信することで、ユーザに広告主からの広告コンテンツを提供するまでの一連の過程を説明する。
【００４４】
図３は、広告表示用サーバ装置８を活用した、広告コンテンツの入出力過程の一例を示すフローチャートであり、図４は、ユーザの端末装置６に表示される、広告コンテンツを含む電力供給システム情報ウェブページの一例を示す模式図である。
【００４５】
まず広告主７７は、インターネットを介して自社の商品やサービスに係る広告をユーザの端末装置の表示部に表示させるため、広告表示用サーバ装置８の稼働に必要な電力を供給する、ユーザ６６と広告主７７の共同関与型電力供給システム４と、広告表示用サーバ装置８で構成される、ユーザと広告主の共同関与型電力供給システムを活用した、広告表示システム１を整備する（ステップＳ１）。
【００４６】
次に、前記広告表示システムが運営されている状況において、自社の商品やサービスと、社名や連絡先等の情報を含む広告コンテンツを作成し、広告主の端末装置７から広告表示用サーバ装置８に、通信ネットワーク５を介して広告コンテンツ送信する（ステップＳ２）。
【００４７】
ここで、広告主７７の端末装置７から広告コンテンツを受信した広告表示用サーバ装置８は、送信元である広告主の情報が、予めデータベース８５に記憶された広告表示サービスの提供対象者であるかを認証した上で、広告コンテンツをサーバ装置８の記憶部８２とデータベース８５に記憶し、ユーザへの広告表示に備えておく（ステップＳ３）。
【００４８】
続いて、同じ電力供給システムの整備や運営に関与したユーザ６６が、自身が整備と運営に関与した電力供給システムの稼働状況に興味関心を抱き、電力供給システムの現状を把握するための情報提供要求を、ユーザの端末装置６から広告表示用サーバ装置８に送信する（ステップＳ４）。
【００４９】
電力供給システムの情報提供要求を受信した広告表示用サーバ装置８は、電力供給システムの通信制御装置１０に、電力供給システムの稼働状況に係る情報の提供要求を送信（ステップＳ５）し、この情報を受信した電力供給システムの通信制御装置は、発電システム２の発電状況と蓄電システム３の蓄電状況を広告表示用サーバ装置８に返信（ステップＳ６）することで、広告表示用サーバ装置は、電力供給システム４の最新情報を受信し、サーバ装置内の記憶部８２に記憶する（ステップＳ７）。
【００５０】
続いて、広告表示用サーバ装置の制御部８１が、記憶部８２およびデータベース８５に予め記憶された広告コンテンツを抽出し、収集した電力供給システム４の最新状況情報を編集して整理したウェブページを生成（ステップＳ８）し、ユーザの端末装置に送信する（ステップＳ９）。こうして、生成されたウェブページを受信したユーザ端末装置の表示部には、ユーザが把握しようとしていた電力供給システムの最新状況とともに、広告主から提供された広告コンテンツも表示される（ステップＳ１０）。
【００５１】
図４は、一連の過程を経てユーザ端末装置の表示部に表示された、広告主からの広告コンテンツを含む、電力供給システムの稼働状況紹介ページの一例を示す模式図である。
【００５２】
このように、本実施形態によれば、広告主の端末７から広告コンテンツを受信して記憶し、ユーザの端末６から受信した、ユーザおよび広告主の共同関与型電力供給システム４の情報閲覧要求に基づいて電力供給システムの情報提供要求を送信し、電力供給システムから返信される、情報閲覧要求の受信時点における電力供給システム情報を受信するとともに、ユーザの端末情報から得られたユーザの属性に応じた広告コンテンツを記憶部８２およびデータベース８５から抽出し、電力供給システム情報に広告コンテンツを追加配置した電力供給システム情報ページを生成し、ユーザの端末装置６に送信することができる。
【００５３】
こうして、広告表示用サーバ装置で消費されている電力の一部または全部が、化石燃料の消費と二酸化炭素量増加を伴わない、再生可能エネルギー活用型の電力供給システムから賄われるものとなり、広告表示サービスの省エネルギー性と環境性が向上するとともに、広告表示サービスの利用費に影響する燃料費変動の影響が抑えられ、利用費を安定化させることができる。
【００５４】
また、広告表示用サーバ装置を前記電力供給システムに隣接して設置させることで、送電損失を大幅に削減して省エネルギー性や環境性を高められるほか、地震や津波などの災害発生時における電力供給の継続性が高まるため、災害時における緊急広告等の表示継続性を高めることもできる。
【００５５】
なお、当該電力供給システムの整備や運営には、当該広告表示サービスを利用するユーザや広告主が直接的に関与することで前記の効果が得られるよう、電力供給システムの構成や立地、運営を最適化することが可能となる。
【００５６】
さらに、ユーザが直接関与していることに加え、発電力や蓄電量が日常的に変化するため、ユーザの興味と関心を長期に渡って維持できる、ユーザ関与型の電力システム情報に付加する形で広告表示を行うことから、広告主にとっては、効果的な広告表示を長期継続させることが可能となる。
【産業上の利用可能性】
【００５７】
なお本発明は、前記の実施形態に限定されるものではない。前記の実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００５８】
１・・・・ユーザと広告主の共同関与型電力供給システムを活用した、広告表示システム
２・・・・ユーザと広告主の共同関与により整備、運用される太陽光発電システム
３・・・・ユーザと広告主の共同関与により整備、運用される蓄電システム
４・・・・太陽光発電システムと蓄電システムと通信制御装置とで構成された、ユーザと広告主の共同関与により整備、運用される電力供給システム
５・・・・通信ネットワーク
６・・・・ユーザが保有する端末装置
７・・・・広告主が保有する端末装置
８・・・・広告表示システムを構成する、広告表示用サーバ装置
９・・・・電力系統
１０・・・電力供給システムの通信制御装置
６６・・・電力供給システムの整備、運営に関与し、広告主の広告表示を閲覧するユーザ
７７・・・電力供給システムの整備、運営に関与し、広告表示サービスを利用する広告主
８１・・・広告表示用サーバ装置の制御部
８２・・・広告表示用サーバ装置の記憶部
８３・・・広告表示用サーバ装置の通信部
８４・・・広告表示用サーバ装置の表示部
８５・・・広告表示用サーバ装置のデータベース
８６・・・広告表示用サーバ装置の操作部
８７・・・広告表示用サーバ装置のバス
【図１】
2013246666.tif 000003
【図２】
2013246666.tif 000004
【図３】
2013246666.tif 000005
【図４】
2013246666.tif 000006